(57)【特許請求の範囲】
【請求項１】
洗浄池及び装置筐体を含み、前記装置筐体の底面には仕切りカーテンが固定的に装着され、前記仕切りカーテンは前記洗浄池を遮り、前記洗浄池には浄水洗浄空間と強酸洗浄空間とが設置され、前記装置筐体の下側には下方に開口したスライド空間が設置され、前記スライド空間の中にはスライド筐体がスライドできるように装着され、前記スライド筐体と前記装置筐体との間には前記スライド筐体を連動させて前記浄水洗浄空間又は前記強酸洗浄空間によって洗浄することを切り換えることができる移動機構が設置され、
前記スライド筐体の中には震えスライドチャンバが設置され、前記震えスライドチャンバの中には第二スライド筐体がスライドできるように装着され、前記第二スライド筐体の底面には伸縮ロッドが左右対称的に固定的に装着され、左右の前記伸縮ロッドの間には部品を置く部品置き籠が回転できるように装着され、左右の前記伸縮ロッドの間には横ロッドが固定的に装着され、前記横ロッドには滑車が回転できるように装着され、前記第二スライド筐体の中にはウォームホイールウォームチャンバが設置され、前記ウォームホイールウォームチャンバの左右内壁の間にはウォームホイール軸が回転できるように装着され、前記ウォームホイール軸には第一巻き筒が固定的に装着され、前記第一巻き筒には前記第一巻き筒を回転連動させることができる動力機構が固定的に連結され、前記第一巻き筒には第一引き紐が固定的に巻き付いており、前記第一引き紐が前記滑車を通り抜け、前記第一引き紐のもう片側が前記第二スライド筐体の底面と連結され、前記第一巻き筒が回転して前記第一引き紐を引き動かし、前記第一引き紐に上方へ部品置き籠を連動させて酸洗をする部品を引き上げ、前記第二スライド筐体のうち前記ウォームホイールウォームチャンバの後側に位置したところには偏心輪チャンバが設置され、前記偏心輪チャンバの中には偏心輪が回転できるように装着され、前記偏心輪が前記動力機構と連結され、動力機構が偏心輪を回転連動させる時、第二スライド筐体を震えスライドチャンバの中で左右に揺らし、前記部品置き籠の中にある部品は連動して揺れて洗浄され、前記洗浄池の左側には部品置き台が設置され、前記部品置き台と前記浄水洗浄空間には酸洗をする部品に後期処理を行える補助処理機構が設置されており、
前記移動機構はまた前記装置筐体に設置された第一ギヤチャンバを含み、前記第一ギヤチャンバの右側内壁の中には第一モーターが固定的に装着され、前記第一モーターの出力軸には第一ギヤが固定的に連結され、前記スライド空間の左右内壁の間には前記第一ギヤチャンバを貫通した伝送筒軸が回転できるように装着され、前記伝送筒軸には第二ギヤが固定的に装着され、前記第二ギヤが前記第一ギヤと噛み合っており、前記伝送筒軸には伝送筒が固定的に装着され、前記伝送筒にははすばが設置され、前記スライド筐体の頂面にはヘリカル歯が設置され、前記伝送筒にあるはすばと前記スライド筐体にあるヘリカル歯とが互いにスライドできるように装着されており、
前記動力機構はまた前記ウォームホイールウォームチャンバと前記偏心輪チャンバとの間に設置された切り換えチャンバを含み、前記切り換えチャンバの後側には第二ギヤチャンバが設置され、前記第二ギヤチャンバの前側内壁の中には動力モーターが固定的に装着され、前記動力モーターの出力軸には第三ギヤが固定的に装着され、前記第二ギヤチャンバと前記切り換えチャンバとの間にはスプライン軸が回転できるように装着され、前記スプライン軸の後側面には第四ギヤが固定的に装着され、前記第四ギヤが前記第三ギヤと噛み合っており、前記スプライン軸には連結スリーブがスライドできるように装着され、前記連結スリーブと前記スプライン軸とがスプラインによって装着され、前記連結スリーブの後側面には第一切り換えギヤが固定的に装着され、前記連結スリーブの前側面には第二切り換えギヤが固定的に装着され、前記連結スリーブには押しロッドが回転できるように装着され、前記切り換えチャンバの左側内壁の中には前記切り換えチャンバと連通した押しロッド空間が設置され、前記押しロッドと前記押しロッド空間とがスライドできるように装着され、前記押しロッドには永久磁石が固定的に装着され、前記押しロッド空間の後側内壁の中には電磁石が固定的に装着されており、
前記切り換えチャンバと前記ウォームホイールウォームチャンバとの間にはウォーム軸が回転できるように装着され、前記ウォーム軸には第五ギヤが設置され、前記第五ギヤは前記第二切り換えギヤと噛み合え、前記ウォーム軸にはウォームが固定的に装着され、前記ウォームホイール軸にはウォームホイールが固定的に装着され、前記ウォームホイールが前記ウォームと噛み合っており、
前記偏心輪チャンバと前記切り換えチャンバとの間には偏心輪軸が回転できるように装着され、前記偏心輪軸の前側面には第六ギヤが固定的に装着され、前記第六ギヤは前記第一切り換えギヤと噛み合え、前記偏心輪と前記偏心輪軸とが固定的に装着されており、
前記震えスライドチャンバの左右内壁にはガイドロッドが左右対称的に固定的に装着され、前記震えスライドチャンバの左側面には前記ガイドロッドが四つ設置され、前記震えスライドチャンバの右側面にも前記ガイドロッドが四つ設置され、前記ガイドロッドと前記第二スライド筐体とがスライドできるように装着され、前記震えスライドチャンバの左右両側内壁と前記第二スライド筐体の左右側面との間にはばねが固定的に装着されており、
前記補助処理機構はまた前記浄水洗浄空間の中に設置されたｐＨ測定器を含み、前記浄水洗浄空間の後側内壁の中には排水口が設置されており、
前記第二スライド筐体の中には巻き筒チャンバが設置され、前記巻き筒チャンバの前側内壁の中には巻きモーターが固定的に装着され、前記巻きモーターの出力軸には第二巻き筒が固定的に装着され、前記第二巻き筒には第二引き紐が固定的に巻き付いており、前記第二引き紐が前記部品置き籠の後側面と固定的に連結され、前記部品置き台の頂面には側台が固定的に装着され、前記側台には部品を乾かせることができる送風ファンが設置され、前記装置筐体の底面には下方に開口した吸着空間が設置され、前記吸着空間の中には薬品置き溝がスライドできるように形成されており、前記薬品置き溝の中には酸性揮発物質を吸収できるアルカリ性化学薬品が貯蔵されており、部品を浄水洗浄空間の中で洗浄した後、スライド筐体が左側に移動し続け、巻きモーターを始動し、巻きモーターが第二巻き筒を連動させて第二引き紐を巻き、第二引き紐が部品置き籠を引き動かし、洗浄された部品を部品置き台に置き、送風ファンが部品を乾かし、薬品置き溝の中のアルカリ性化学薬品が酸性揮発物質を吸収できることを特徴とする金属表面の処理工芸に対する酸洗タンクの洗浄補助設備。
【発明の詳細な説明】
【技術分野】
【０００１】
本発明は金属洗浄分野に関わり、具体的には金属表面の処理工芸に対する酸洗タンクの洗浄補助設備である。
【背景技術】
【０００２】
一部の工場で生産された機械部品は、最後の表面処理をする時、酸洗処理を利用し、部品は酸洗タンクの中に浸かって洗浄された後に金属表面の酸化被覆が除去されることができ、機械部品の表面が新しく見えるほどきれいになる。
今、一部の工場は酸洗処理を行う時、人為的に部品を直接酸洗タンクの中に入れ、酸洗タンクを仕切ることは一切しないことで、作業員は操作する時、強酸によって皮膚を傷つけるリスクがあり、また作業員は長期に強酸のある環境にいれば、健康に影響し、一部の強酸を使って酸洗する洗浄設備は、酸洗する時、ただ部品を強酸酸洗液の中に浸し、部品を引き上げる時、洗浄は不十分であり、洗浄の効果も良くない。
【先行技術文献】
【特許文献】
【０００３】
【特許文献１】中国特許出願公開第１０５７４２７４５号明細書
【発明の概要】
【発明が解決しようとする課題】
【０００４】
本発明は金属表面の処理工芸に対する酸洗タンクの洗浄補助設備を提供し、既存技術にある上記の欠点を解消することを目的とする。
【課題を解決するための手段】
【０００５】
本発明の実施例の金属表面の処理工芸に対する酸洗タンクの洗浄補助設備は、洗浄池及び装置筐体を含み、前記装置筐体の底面には仕切りカーテンが固定的に装着され、前記仕切りカーテンは前記洗浄池を遮り、前記洗浄池には浄水洗浄空間と強酸洗浄空間とが設置され、前記装置筐体の下側には下方に開口したスライド空間が設置され、前記スライド空間の中にはスライド筐体がスライドできるように装着され、前記スライド筐体と前記装置筐体との間には前記スライド筐体を連動させて前記浄水洗浄空間又は前記強酸洗浄空間によって洗浄することを切り換えることができる移動機構が設置され、前記スライド筐体の中には震えスライドチャンバが設置され、前記震えスライドチャンバの中には第二スライド筐体がスライドできるように装着され、前記第二スライド筐体の底面には伸縮ロッドが左右対称的に固定的に装着され、左右の前記伸縮ロッドの間には部品を置く部品置き籠が回転できるように装着され、左右の前記伸縮ロッドの間には横ロッドが固定的に装着され、前記横ロッドには滑車が回転できるように装着され、前記第二スライド筐体の中にはウォームホイールウォームチャンバが設置され、前記ウォームホイールウォームチャンバの左右内壁の間にはウォームホイール軸が回転できるように装着され、前記ウォームホイール軸には第一巻き筒が固定的に装着され、前記第一巻き筒には前記第一巻き筒を回転連動させることができる動力機構が固定的に連結され、前記第一巻き筒には第一引き紐が固定的に巻き付いており、前記第一引き紐が前記滑車を通り抜け、前記第一引き紐のもう片側が前記第二スライド筐体の底面と連結され、前記第一巻き筒が回転して前記第一引き紐を引き動かし、前記第一引き紐に上方へ部品置き籠を連動させて酸洗をする部品を引き上げ、前記第二スライド筐体のうち前記ウォームホイールウォームチャンバの後側に位置したところには偏心輪チャンバが設置され、前記偏心輪チャンバの中には偏心輪が回転できるように装着され、前記偏心輪が前記動力機構と連結され、動力機構が偏心輪を回転連動させる時、第二スライド筐体を震えスライドチャンバの中で左右に揺らし、前記部品置き籠の中にある部品は連動して揺れて洗浄され、前記洗浄池の左側には部品置き台が設置され、前記部品置き台と前記浄水洗浄空間には酸洗をする部品に後期処理を行える補助処理機構が設置されている。
【０００６】
上記の技術プランに基づいて、前記移動機構はまた前記装置筐体に設置された第一ギヤチャンバを含み、前記第一ギヤチャンバの右側内壁の中には第一モーターが固定的に装着され、前記第一モーターの出力軸には第一ギヤが固定的に連結され、前記スライド空間の左右内壁の間には前記第一ギヤチャンバを貫通した伝送筒軸が回転できるように装着され、前記伝送筒軸には第二ギヤが固定的に装着され、前記第二ギヤが前記第一ギヤと噛み合っており、前記伝送筒軸には伝送筒が固定的に装着され、前記伝送筒にははすばが設置され、前記スライド筐体の頂面にはヘリカル歯が設置され、前記伝送筒にあるはすばと前記スライド筐体にあるヘリカル歯とが互いにスライドできるように装着されている。
【０００７】
上記の技術プランに基づいて、前記動力機構はまた前記ウォームホイールウォームチャンバと前記偏心輪チャンバとの間に設置された切り換えチャンバを含み、前記切り換えチャンバの後側には第二ギヤチャンバが設置され、前記第二ギヤチャンバの前側内壁の中には動力モーターが固定的に装着され、前記動力モーターの出力軸には第三ギヤが固定的に装着され、前記第二ギヤチャンバと前記切り換えチャンバとの間にはスプライン軸が回転できるように装着され、前記スプライン軸の後側面には第四ギヤが固定的に装着され、前記第四ギヤが前記第三ギヤと噛み合っており、前記スプライン軸には連結スリーブがスライドできるように装着され、前記連結スリーブと前記スプライン軸とがスプラインによって装着され、前記連結スリーブの後側面には第一切り換えギヤが固定的に装着され、前記連結スリーブの前側面には第二切り換えギヤが固定的に装着され、前記連結スリーブには押しロッドが回転できるように装着され、前記切り換えチャンバの左側内壁の中には前記切り換えチャンバと連通した押しロッド空間が設置され、前記押しロッドと前記押しロッド空間とがスライドできるように装着され、前記押しロッドには永久磁石が固定的に装着され、前記押しロッド空間の後側内壁の中には電磁石が固定的に装着されている。
【０００８】
上記の技術プランに基づいて、前記切り換えチャンバと前記ウォームホイールウォームチャンバとの間にはウォーム軸が回転できるように装着され、前記ウォーム軸には第五ギヤが設置され、前記第五ギヤは前記第二切り換えギヤと噛み合え、前記ウォーム軸にはウォームが固定的に装着され、前記ウォームホイール軸にはウォームホイールが固定的に装着され、前記ウォームホイールが前記ウォームと噛み合っている。
【０００９】
上記の技術プランに基づいて、前記偏心輪チャンバと前記切り換えチャンバとの間には偏心輪軸が回転できるように装着され、前記偏心輪軸の前側面には第六ギヤが固定的に装着され、前記第六ギヤは前記第一切り換えギヤと噛み合え、前記偏心輪と前記偏心輪軸とが固定的に装着されている。
【００１０】
上記の技術プランに基づいて、前記震えスライドチャンバの左右内壁にはガイドロッドが左右対称的に固定的に装着され、前記震えスライドチャンバの左側面には前記ガイドロッドが四つ設置され、前記震えスライドチャンバの右側面にも前記ガイドロッドが四つ設置され、前記ガイドロッドと前記第二スライド筐体とがスライドできるように装着され、前記震えスライドチャンバの左右両側内壁と前記第二スライド筐体の左右側面との間にはばねが固定的に装着されている。
【００１１】
上記の技術プランに基づいて、前記補助処理機構はまた前記浄水洗浄空間の中に設置されたｐＨ測定器を含み、前記浄水洗浄空間の後側内壁の中には排水口が設置されている。
【００１２】
上記の技術プランに基づいて、前記第二スライド筐体の中には巻き筒チャンバが設置され、前記巻き筒チャンバの前側内壁の中には巻きモーターが固定的に装着され、前記巻きモーターの出力軸には第二巻き筒が固定的に装着され、前記第二巻き筒には第二引き紐が固定的に巻き付いており、前記第二引き紐が前記部品置き籠の後側面と固定的に連結され、前記部品置き台の頂面には側台が固定的に装着され、前記側台には部品を乾かせることができる送風ファンが設置され、前記装置筐体の底面には下方に開口した吸着空間が設置され、前記吸着空間の中には薬品置き溝がスライドできるように形成されており、前記薬品置き溝の中には酸性揮発物質を吸収できるアルカリ性化学薬品が貯蔵されている。
【発明の効果】
【００１３】
本発明の有益な効果は：本発明は作業員が部品を洗浄池の中に入れるのに便利を与え、洗浄池を外部空間から隔離でき、薬品置き溝を設置し、薬品置き溝の中に強酸気体を吸収できるアルカリ性化学薬品を入れ、それによって揮発した酸性気体を中和させることができ、作業員の作業環境を改善でき、洗浄作業には人為的に酸洗をした部品を浄水洗浄空間に送って洗浄することが必要がない。
部品を洗浄池の中に送った後、洗浄された部品を揺らし、洗浄池の中に除去された酸化被覆又はほかの不純物を揺らすことを通して落とし、洗浄効果を向上させ、洗浄された後に部品を直接出すことができ、作業効率を高め、普及する価値がある。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の全体構成概略図
【図２】図２は図１の中のＡ―Ａ方向の断面構成概略図
【図３】図３は図１の中のＢ―Ｂ方向の断面構成概略図
【図４】図４は図１の中のＣのところの拡大構成概略図
【発明を実施するための形態】
【００１６】
図１〜４を参照し、本発明の実施例の金属表面の処理工芸に対する酸洗タンクの洗浄補助設備は、洗浄池１０及び装置筐体２２を含み、前記装置筐体２２の底面には仕切りカーテン２０が固定的に装着され、前記仕切りカーテン２０は前記洗浄池１０を遮り、前記洗浄池１０には浄水洗浄空間４５と強酸洗浄空間１２とが設置され、前記装置筐体２２の下側には下方に開口したスライド空間２３が設置され、前記スライド空間２３の中にはスライド筐体２６がスライドできるように装着され、前記スライド筐体２６と前記装置筐体２２との間には前記スライド筐体２６を連動させて前記浄水洗浄空間４５又は前記強酸洗浄空間１２によって洗浄することを切り換えることができる移動機構８０が設置され、前記スライド筐体２６の中には震えスライドチャンバ２７が設置され、前記震えスライドチャンバ２７の中には第二スライド筐体３０がスライドできるように装着され、前記第二スライド筐体３０の底面には伸縮ロッド１５が左右対称的に固定的に装着され、左右の前記伸縮ロッド１５の間には部品を置く部品置き籠１３が回転できるように装着され、左右の前記伸縮ロッド１５の間には横ロッド１６が固定的に装着され、前記横ロッド１６には滑車１７が回転できるように装着され、前記第二スライド筐体３０の中にはウォームホイールウォームチャンバ３１が設置され、前記ウォームホイールウォームチャンバ３１の左右内壁の間にはウォームホイール軸３４が回転できるように装着され、前記ウォームホイール軸３４には第一巻き筒３６が固定的に装着され、前記第一巻き筒３６には前記第一巻き筒３６を回転連動させることができる動力機構８１が固定的に連結され、前記第一巻き筒３６には第一引き紐１８が固定的に巻き付いており、前記第一引き紐１８が前記滑車１７を通り抜け、前記第一引き紐１８のもう片側が前記第二スライド筐体３０の底面と連結され、前記第一巻き筒３６が回転して前記第一引き紐１８を引き動かし、前記第一引き紐１８に上方へ部品置き籠１３を連動させて酸洗をする部品を引き上げ、前記第二スライド筐体３０のうち前記ウォームホイールウォームチャンバ３１の後側に位置したところには偏心輪チャンバ４９が設置され、前記偏心輪チャンバ４９の中には偏心輪５０が回転できるように装着され、前記偏心輪５０が前記動力機構８１と連結され、動力機構８１が偏心輪５０を回転連動させる時、第二スライド筐体３０を震えスライドチャンバ２７の中で左右に揺らし、前記部品置き籠１３の中にある部品は連動して揺れて洗浄され、前記洗浄池１０の左側には部品置き台４３が設置され、前記部品置き台４３と前記浄水洗浄空間４５には酸洗をする部品に後期処理を行える補助処理機構８２が設置されている。
【００１７】
また、一つの実施例の中に、前記移動機構８０はまた前記装置筐体２２に設置された第一ギヤチャンバ３７を含み、前記第一ギヤチャンバ３７の右側内壁の中には第一モーター４０が固定的に装着され、前記第一モーター４０の出力軸には第一ギヤ３８が固定的に連結され、前記スライド空間２３の左右内壁の間には前記第一ギヤチャンバ３７を貫通した伝送筒軸２４が回転できるように装着され、前記伝送筒軸２４には第二ギヤ３９が固定的に装着され、前記第二ギヤ３９が前記第一ギヤ３８と噛み合っており、前記伝送筒軸２４には伝送筒２５が固定的に装着され、前記伝送筒２５にははすばが設置され、前記スライド筐体２６の頂面にはヘリカル歯が設置され、前記伝送筒２５にあるはすばと前記スライド筐体２６にあるヘリカル歯とが互いにスライドできるように装着され、第一モーター４０を始動する時、第一モーター４０が第一ギヤ３８を回転連動させ、第一ギヤ３８が回転することによって第二ギヤ３９を回転連動させ、第二ギヤ３９が回転することによって伝送筒２５を回転連動させ、伝送筒２５が回転することによってスライド筐体２６を左右にスライドできるようにさせる。
【００１８】
また、一つの実施例の中に、前記動力機構８１はまた前記ウォームホイールウォームチャンバ３１と前記偏心輪チャンバ４９との間に設置された切り換えチャンバ６２を含み、前記切り換えチャンバ６２の後側には第二ギヤチャンバ５２が設置され、前記第二ギヤチャンバ５２の前側内壁の中には動力モーター５４が固定的に装着され、前記動力モーター５４の出力軸には第三ギヤ５３が固定的に装着され、前記第二ギヤチャンバ５２と前記切り換えチャンバ６２との間にはスプライン軸５６が回転できるように装着され、前記スプライン軸５６の後側面には第四ギヤ５５が固定的に装着され、前記第四ギヤ５５が前記第三ギヤ５３と噛み合っており、前記スプライン軸５６には連結スリーブ２１がスライドできるように装着され、前記連結スリーブ２１と前記スプライン軸５６とがスプラインによって装着され、前記連結スリーブ２１の後側面には第一切り換えギヤ６０が固定的に装着され、前記連結スリーブ２１の前側面には第二切り換えギヤ６４が固定的に装着され、前記連結スリーブ２１には押しロッド６５が回転できるように装着され、前記切り換えチャンバ６２の左側内壁の中には前記切り換えチャンバ６２と連通した押しロッド空間５８が設置され、前記押しロッド６５と前記押しロッド空間５８とがスライドできるように装着され、前記押しロッド６５には永久磁石５９が固定的に装着され、前記押しロッド空間５８の後側内壁の中には電磁石５７が固定的に装着され、動力モーター５４を始動した後、動力モーター５４は第一切り換えギヤ６０と第二切り換えギヤ６４とを回転連動させることができ、電磁石５７を通電させ、電磁石５７は永久磁石５９を吸引でき、永久磁石５９が押しロッド６５と連結スリーブ２１とを後方に運動連動させ、第一切り換えギヤ６０と第二切り換えギヤ６４とを後方に運動させ、電磁石５７に逆方向の電流を通し、電磁石５７は第一切り換えギヤ６０と第二切り換えギヤ６４とを前方に運動連動させることができる。
【００１９】
また、一つの実施例の中に、前記切り換えチャンバ６２と前記ウォームホイールウォームチャンバ３１との間にはウォーム軸３３が回転できるように装着され、前記ウォーム軸３３には第五ギヤ６３が設置され、前記第五ギヤ６３は前記第二切り換えギヤ６４と噛み合え、前記ウォーム軸３３にはウォーム３２が固定的に装着され、前記ウォームホイール軸３４にはウォームホイール３５が固定的に装着され、前記ウォームホイール３５が前記ウォーム３２と噛み合っており、第一切り換えギヤ６０と第二切り換えギヤ６４とが前方に運動すると、第二切り換えギヤ６４が第五ギヤ６３と噛み合い、動力モーター５４はウォーム軸３３を回転連動させることができ、ウォーム軸３３が回転することによってウォーム３２を回転連動させ、ウォーム３２がウォームホイール３５を回転連動させ、ウォームホイール３５がウォームホイール軸３４を回転連動させ、ウォームホイール軸３４が第一巻き筒３６を回転連動させて第一引き紐１８を巻く。
【００２０】
また、一つの実施例に、前記偏心輪チャンバ４９と前記切り換えチャンバ６２との間には偏心輪軸５１が回転できるように装着され、前記偏心輪軸５１の前側面には第六ギヤ６１が固定的に装着され、前記第六ギヤ６１は前記第一切り換えギヤ６０と噛み合え、前記偏心輪５０と前記偏心輪軸５１とが固定的に装着され、第一切り換えギヤ６０と第二切り換えギヤ６４とが後方に運動すると、第一切り換えギヤ６０が第六ギヤ６１と噛み合い、第二切り換えギヤ６４は第六ギヤ６１を回転連動させることができ、第六ギヤ６１が回転することによって偏心輪５０を回転連動させ、偏心輪５０が回転することによって第二スライド筐体３０を震えスライドチャンバ２７の中で左右に震えられるようにさせる。
【００２１】
また、一つの実施例の中に、前記震えスライドチャンバ２７の左右内壁にはガイドロッド２８が左右対称的に固定的に装着され、前記震えスライドチャンバ２７の左側面には前記ガイドロッド２８が四つ設置され、前記震えスライドチャンバ２７の右側面にも前記ガイドロッド２８が四つ設置され、前記ガイドロッド２８と前記第二スライド筐体３０とがスライドできるように装着され、前記震えスライドチャンバ２７の左右両側内壁と前記第二スライド筐体３０の左右側面との間にはばね２９が固定的に装着され、第二スライド筐体３０が震える時、ガイドロッド２８は第二スライド筐体３０をガイドする作用を果たせる。
【００２２】
また、一つの実施例の中に、前記補助処理機構８２はまた前記浄水洗浄空間４５の中に設置されたｐＨ測定器４４を含み、前記浄水洗浄空間４５の後側内壁の中には排水口１１が設置され、酸洗をした部品を浄水洗浄空間４５の中に送って洗浄し、ｐＨ測定器４４が浄水洗浄空間４５の中の洗浄用の水のｐＨ値を測定し、洗浄用の水の酸性が高すぎると、排水口１１は水を排出する。
【００２３】
また、一つの実施例の中に、前記第二スライド筐体３０の中には巻き筒チャンバ４７が設置され、前記巻き筒チャンバ４７の前側内壁の中には巻きモーター１４が固定的に装着され、前記巻きモーター１４の出力軸には第二巻き筒４８が固定的に装着され、前記第二巻き筒４８には第二引き紐１９が固定的に巻き付いており、前記第二引き紐１９が前記部品置き籠１３の後側面と固定的に連結され、前記部品置き台４３の頂面には側台４１が固定的に装着され、前記側台４１には部品を乾かせることができる送風ファン４２が設置され、前記装置筐体２２の底面には下方に開口した吸着空間６６が設置され、前記吸着空間６６の中には薬品置き溝６７がスライドできるように形成されており、前記薬品置き溝６７の中には酸性揮発物質を吸収できるアルカリ性化学薬品が貯蔵されており、部品を浄水洗浄空間４５の中で洗浄した後、スライド筐体２６が左側に移動し続け、巻きモーター１４を始動し、巻きモーター１４が第二巻き筒４８を連動させて第二引き紐１９を巻き、第二引き紐１９が部品置き籠１３を引き動かし、洗浄された部品を部品置き台４３に置き、送風ファン４２が部品を乾かし、薬品置き溝６７の中のアルカリ性化学薬品が酸性揮発物質を吸収できる。
【００２４】
第一モーター４０を始動する時、第一モーター４０が伝送筒２５を回転連動させ、伝送筒２５が回転してスライド筐体２６を左右にスライドできるようにさせ、部品を上下方向に引き上げる時、電磁石５７は第一切り換えギヤ６０と第二切り換えギヤ６４とを前方に運動連動させることができ、第二切り換えギヤ６４と第五ギヤ６３とを噛み合わせ、動力モーター５４を始動し、動力モーター５４は第一巻き筒３６を回転連動させて第一引き紐１８を巻くことができ、部品は強酸洗浄空間１２の中に入った後、電磁石５７が押しロッド６５と連結スリーブ２１とを後方に運動連動させ、第一切り換えギヤ６０と第二切り換えギヤ６４とを後方に運動させ、動力モーター５４を始動した後、動力モーター５４は偏心輪５０を回転連動させることができ、偏心輪５０が回転して第二スライド筐体３０を震えスライドチャンバ２７の中で左右に震えられるようにさせる。
【００２５】
酸洗をした部品を浄水洗浄空間４５の中に送って洗浄し、部品は浄水洗浄空間４５の中で洗浄された後、スライド筐体２６が左側へ移動し続け、巻きモーター１４を始動し、巻きモーター１４が第二巻き筒４８に第二引き紐１９を巻き、第二引き紐１９が部品置き籠１３を引き動かし、洗浄された部品を部品置き台４３に置き、送風ファン４２が部品を乾かし、薬品置き溝６７の中のアルカリ性化学薬品が酸性揮発物質を吸収できる。
【００２６】
本発明の有益な効果は：本発明は作業員が部品を洗浄池の中に入れるのに便利を与え、洗浄池を外部空間から隔離でき、薬品置き溝を設置し、薬品置き溝の中に強酸気体を吸収できるアルカリ性化学薬品を入れ、それによって揮発した酸性気体を中和させることができ、作業員の作業環境を改善でき、洗浄作業には人為的に酸洗をした部品を浄水洗浄空間に送って洗浄することが必要がない。
【００２７】
部品を洗浄池の中に送った後、洗浄された部品を揺らし、洗浄池の中に除去された酸化被覆又はほかの不純物を揺らすことを通して落とし、洗浄効果を向上させ、洗浄された後に部品を直接出すことができ、作業効率を高め、普及する価値がある。
【００２８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
0006883161.tif 000002
【図２】
0006883161.tif 000003
【図３】
0006883161.tif 000004
【図４】
0006883161.tif 000005